(57)【特許請求の範囲】
【請求項１】
連続波形（ＣＷ）ＲＦ出力を有する共鳴無線周波数（ＲＦ）源を具え、このＣＷ  ＲＦ出力を、直流ゲーティングパルスを発生させるパルサ（２９）に接続した変調装置／ドライバ（２２）に供給し、その結果得られたＲＦパルスをパワーアンプ（２３）に接続し、前記パワーアンプの出力部を、磁界（２６）の中心のスピン系を収容するプローブヘッド（２７）に接続し、このプローブヘッド（２７）の出力部を、前記ＲＦ源（１２）から基準入力を得るプリアンプ／レシーバに接続し、前記プリアンプ／レシーバ（２４）の出力部を、アナログ−デジタルコンバータ（ＡＤＣ）を通じて、タイミング及びパフォーマンス制御を行うことができる通常のコンピュータ装置（３０）に接続し、前記プローブ（２７）の他の入力部を、前記スピン系の記憶素子をアドレス指定する直交勾配パルスを発生させることができる勾配制御ユニット（２８）に接続することを特徴とする向上した論理装置。
【請求項２】
前記共鳴無線周波数（ＦＲ）源を、連続波（ＣＷ）ＲＦ出力を発生させることができる一般的な固定／可変周波数発振器／シンセサイザとしたことを特徴とする請求項１記載の向上した論理装置。
【請求項３】
前記パワーアンプは、その出力部に可変コンピュータ制御された減衰器を有するとともに、パルス成形機能を有することを特徴とする請求項１記載の向上した論理装置。
【請求項４】
前記磁界を、永久磁石の磁界、超伝導電磁石の一様な磁界又は超伝導電磁石のフリンジ磁界としたことを特徴とする請求項１記載の向上した論理装置。
【請求項５】
前記スピン系を、相互作用し又は相互作用しないスピン−１／２の集合としたことを特徴とする請求項１記載の向上した論理装置。
【請求項６】
前記スピン系を、最大１ＭＨｚの電子スピン共鳴（ＥＳＲ）線幅若しくは最大１ＭＨｚの電子核二重共鳴（ＥＮＤＯＲ）線幅の電子スピン系、又は最大１ＭＨｚの線幅の液体又は固体系の反磁性核スピン系としたことを特徴とする請求項１記載の向上した論理装置。
【請求項７】
前記プローブヘッドを、共鳴周波数に同調させる無線周波数コイルとして用いたことを特徴とする請求項１記載の向上した論理装置。
【発明の詳細な説明】
【０００１】
【発明の属する技術分野】
本発明は、向上した論理装置に関するものである。本発明の向上した論理装置は、以下スピン系と称する相互作用又は非相互作用スピン−１／２の集合の磁気共鳴に基づく高速論理の実現を提供する。このような高速論理装置は、新規のスピンコンピュータ又は混成スピンコンピュータの主な特徴を形成する。
【０００２】
【従来の技術】
基本的なレベルでは、論理システムは、実質的には双状態スイッチのアレイに基づくものである。従来の論理装置はシリコン半導体技術に基づくものである。システムの２状態は、「ハイ」状態及び「ロー」状態と称され、これらは通常５Ｖの電圧及び０Ｖの電圧にそれぞれ対応する。
【０００３】
コンピュータは、図１に図示した論理システムに基づくものであり、演算論理装置１、中央処理装置２及びメモリ３を具える。メモリ３は、演算論理装置１で動作するに当たり、中央処理装置２によって迅速にアクセスすることができる情報を「記憶」するように作用する。近年のコンピュータメモリは、通常、「揮発性」のダイナミックランダムアクセスメモリ（ＤＲＡＭ）として実現され、この場合、メモリセルは周期的にリフレッシュされる。一般的なコンピュータは、データが「直列に」処理される装置である。「並列な」アーキテクチャも非常に関心があり、その結果、著しく速い動作速度となる。並列アーキテクチャは、現在では半導体−コンピュータに基づくノードのアレイに基づいて実現される。
【０００４】
半導体に基づく論理及びコンピュータシステムにおける複数の開発は別にして、主に分子スイッチに基づく「分子用コンピュータ」が、あり得る特定の用途に対する代案として近年開発されている。特に、「蛋白質用コンピュータ」及び「ＤＮＡ用コンピュータ」が、最近の多数の研究から特に大きな関心が寄せられている。ここでは、これらのような他のアーキテクチャの開発によって、現在考察することができない用途さえも導きうると言及することができる。
【０００５】
Ｌ．Ｍ．Ａｄｌｅｍａｎ  （Ｓｃｉｅｎｃｅ  ２６６，  １０２１，  １９９４）  ，Ｒ．Ｊ．Ｌｉｐｔｏｎ  （Ｓｃｉｅｎｃｅ，  ２６８，  ５４２，  １９９５）  及びＲ．Ｒ．Ｂｉｒｇｅ  （Ｓｃｉｅｎｔｉｆｉｃ  Ａｍｅｒｉｃａｎ，  ２７２，  ６６，  １９９５）によって報告されているように、二分子用コンピュータの開発における現在の甚大な努力は、特にバクテリオロドプシンを用いた蛋白質用コンピュータに向けられており、最近ではむしろＤＮＡ用コンピュータに向けられている。
【０００６】
分子用コンピュータにおいて、情報は分子切替中に記憶され、これは、分子結合エネルギー及び相互作用エネルギーの目安のエネルギー量を要求する分子結合を形成し、切り離し又は再配向することを意味する。論理装置の再使用可能は、通常のシリコン装置のものに比べて著しく短い。
【０００７】
【発明が解決しようとする課題】
各スピンエコーの発見から５年後、Ｐｒｏｃｔｏｒ  等（Ｊｏｕｒｎａｌ  ｏｆ  Ａｐｐｌｉｅｄ  Ｐｈｙｓｉｃｓ，２６，  １７０，  １９５５）  及びＨａｈｎ等（Ｊｏｕｒｎａｌ  ｏｆ  Ａｐｐｌｉｅｄ  Ｐｈｙｓｉｃｓ，  ２６，  １３２４  １９５５：  Ｓｃｉｅｎｔｉｆｉｃ  Ａｍｅｒｉｃａｎ，  ２５１，  ４２，１９８４）は、記憶装置として各スピン系のあり得る用途を提示した。これは、スピン系の線形応答管理中に「登録」された一連の事象をスピンエコーによって逆の順序で又は刺激（ｓｔｉｍｕｌａｔｅｄ）されたエコーによって通常の順番で呼び出されるエコー現象を採用する。多分これは比較的低速な装置であるという理由で、これに関する他の開発はこれまで報告されていない。各スピン系を用いるこのような記憶装置のブロック図を図２に示す。図２において、４はＲＦ（共鳴周波数）源を示し、５は変調装置／ドライバを示し、６はパルサを示し、７はパワーアンプを示し、８はプリアンプ／レシーバを示し、９はオシロスコープを示し、１０は磁石の極を示し、１１はプローブを示す。
【０００８】
本発明の目的は、論理装置／記憶ユニットとしてスピン系を利用する向上した論理装置を提供することである。
【０００９】
本発明の他の目的は、分子用コンピュータに比べて情報を記憶し及び読み出すエネルギーを減少させることである。
【００１０】
本発明の更に別の目的は、一般的な分子用コンピュータに比べて再使用可能性（寿命）を増大させることである。
【００１１】
本発明の更に別の目的は、情報の記憶及び処理を単一装置に統合し、混成半導体兼スピンコンピュータの開発における主な特徴として作用することができるようにすることである。
【００１２】
【課題を解決するための手段】
本発明による向上した論理装置は、連続波形（ＣＷ）ＲＦ出力を有する共鳴無線周波数（ＲＦ）源を具え、このＣＷ  ＲＦ出力を、直流ゲーティングパルスを発生させるパルサに接続した変調装置／ドライバに供給し、その結果得られたＲＦパルスをパワーアンプに接続し、前記パワーアンプの出力部を、磁界の中心のスピン系を収容するプローブヘッドに接続し、このプローブヘッドの出力部を、前記ＲＦ源から基準入力を得るプリアンプ／レシーバに接続し、前記プリアンプ／レシーバの出力部を、アナログ−デジタルコンバータを通じて、タイミング及びパフォーマンス制御を行うことができる通常のコンピュータ装置に接続し、前記プローブの他の入力部を、前記スピン系の記憶素子をアドレス指定する直交勾配パルスを発生させることができる勾配制御ユニットに接続することを特徴とするものである。
【００１３】
【発明の実施の形態】
図３において、１２はＲＦ源を示し、これを、一般的な固定周波数又は可変周波数発振器又はシンセサイザとすることができる。これは、所定の周波数で連続波形（ＣＷ）ＲＦ出力を発生させる。
【００１４】
１３は変調装置／ドライバを示し、これは、１９からの直流ゲーティングパルスによって１２からのＣＷ  ＲＦ入力を変調することによって要求されるＲＦパルスを発生させるとともに、それをパワー増幅のために緩衝する。
【００１５】
１４はパワーアンプを示し、これは、１３からのＲＦパルスを増幅し、その出力部に可変コンピュータ制御された減衰器を有する。
【００１６】
１５はプリアンプ／レシーバを示し、これは、１２からの基準信号を基準にして１８からのアナログ信号を受信し、増幅し及び位相検出する。
【００１７】
１６はアナログ−デジタルコンバータ（ＡＤＣ）を示し、これは、１５のアナログ出力をデジタルデータに変換する高速かつ高分解能ユニットである。
【００１８】
１７は磁石の極を示し、これは、スピン系の双安定状態をセットアップする。
【００１９】
１８はプローブヘッドを示し、これは、一つ以上の共鳴周波数に同調した一つ以上の無線周波数（Ｒ．Ｆ．）コイルによってスピン系を包囲する磁界の中心にスピン系を収容し、１４からのＲＦパワーを伝送するとともに１５に信号のルーティングを行う。
【００２０】
１９はパルサを表し、これは、ハードウェアで直接発生させることによって又はソフトウェア制御の下で要求される直流ゲーティングパルスパターンを発生させる。
【００２１】
２０は標準的なコンピュータ装置を示し、これは、ハードウェアの残りのリセットのタイミング及びパフォーマンスを制御する。
【００２２】
図４において、２１は、ＲＦ源を示し、これを、一般的な固定周波数又は可変周波数発振器又はシンセサイザとすることができる。これは、所定の周波数で連続波形（ＣＷ）ＲＦ出力を発生させる。
【００２３】
２２は変調装置／ドライバを示し、これは、２１からの直流ゲーティングパルスによって２９からのＣＷ  ＲＦ入力を変調することによって要求されるＲＦパルスを発生させるとともに、それをパワー増幅のために緩衝する。
【００２４】
２３はパワーアンプを示し、これは、２２からのＲＦパルスを増幅し、その出力部に可変コンピュータ制御された減衰器を有する。
【００２５】
２４はプリアンプ／レシーバを示し、これは、２７からの基準信号を基準にして２１からのアナログ信号を受信し、増幅し及び位相検出する。
【００２６】
２５はアナログ−デジタルコンバータ（ＡＤＣ）を示し、これは、２４のアナログ出力をデジタルデータに変換する高速かつ高分解能ユニットである。
【００２７】
２６は磁石の極を示し、これは、スピン系の双安定状態をセットアップする。
【００２８】
２７はプローブヘッドを示し、これは、一つ以上の共鳴周波数に同調した一つ以上の無線周波数コイルによってスピン系を包囲する磁界の中心にスピン系を収容し、２３からのＲＦパワーを伝送するとともに２４に信号のルーティングを行うとともに、勾配コイルと共同して２８の制御の下で磁界勾配を発生させる。
【００２９】
２８は勾配制御ユニットを示し、これによって、スピン系の「記憶素子」をアドレス指定する際に三つの直交する勾配パターンの任意の結合をセットアップし及び放出することができる。
【００３０】
２９はパルサを表し、これは、ハードウェアで直接発生させることによって又はソフトウェア制御の下で要求される直流ゲーティングパルスパターンを発生させる。
【００３１】
３０は標準的なコンピュータ装置を示し、これは、ハードウェアの残りのリセットのタイミング及びパフォーマンスを制御する。
【００３２】
本発明は、
ａ）  磁界中に十分長い緩和時間を有し、双安定状態を提供するスピン系と、
ｂ）  磁気共鳴励起及び検出を用いてシステムが双安定状態にアクセスすることができるプローブヘッド、コンソール及びレシーバと、
ｃ）  スピン系の個別のメモリ「セル」の「アドレス指定」を許容する磁界勾配からなる向上した論理装置を提供する。
【００３３】
したがって、本発明は、連続波形（ＣＷ）ＲＦ出力を有する共鳴無線周波数（ＲＦ）源を具え、このＣＷ  ＲＦ出力を、直流ゲーティングパルスを発生させるパルサ（２９）に接続した変調装置／ドライバ（２２）に供給し、その結果得られたＲＦパルスをパワーアンプ（２３）に接続し、前記パワーアンプの出力部を、磁界（２６）の中心のスピン系を収容するプローブヘッド（２７）に接続し、このプローブヘッド（２７）の出力部を、前記ＲＦ源（１２）から基準入力を得るプリアンプ／レシーバに接続し、前記プリアンプ／レシーバ（２４）の出力部を、アナログ−デジタルコンバータ（ＡＤＣ）を通じて、タイミング及びパフォーマンス制御を行うことができる通常のコンピュータ装置（３０）に接続し、前記プローブ（２７）の他の入力部を、前記スピン系の記憶素子をアドレス指定する直交勾配パルスを発生させることができる勾配制御ユニット（２８）に接続することを特徴とする向上した論理装置を提供する。
【００３４】
本発明の実施の形態において、本発明に用いられるスピン系は、最大１ＭＨｚのＥＳＲ（電子スピン共鳴）線幅及び／又は最大１ＭＨｚのＥＮＤＯＲ（電子核二重共鳴）線幅及び／又は最大１ＭＨｚのＮＭＲ線幅を有することができる。
【００３５】
本発明の他の実施の形態において、外部磁界を、永久磁石、電磁石、超伝導電磁石又は超伝導電磁石のフリンジ磁界によって発生させる。このスピン系は、プローブヘッドとしても既知のプローブから取り出し、一つ以上の共鳴周波数に同調され、外部磁界に配置される。システムは、この状況の下で、各スピンが二つのあり得るスピン配向−上向き及び下向きの半分を有する双安定状態のシステムとして振る舞う。「上向き」スピン状態を論理レベル「ハイ」と称するのに対して、他方、すなわち、「下向き」スピン状態を論理レベル「ロー」と称する。
【００３６】
データは、スピンの配向を制御することによって「書き込まれ」、これは、磁界パルス、共鳴ＲＦパルス又はマイクロ波パルスの印加又は一様でない磁界の通過のような適切な手段によって適切なシステムコンソールを用いて制御される。データ、すなわち、スピンの配向状態は、以前の方法のうちの任意のものを適用することによって又は超伝導量子干渉計（ＳＱＵＩＤ）によって再び読み出される。共鳴パルスを用いることによって電子スピン配向を書込み又は読み出すのに要求されるタイムスケールは、１〜１０ｎｓの目安である。
【００３７】
共鳴ＲＦパルスを用いて、放射のバーストが適切な「共鳴」周波数ｖ０  のときにスピンの配向を変更させることができる。この共鳴周波数は、以下の式
２ｖ０  ＝νＢ０  
によって加えられる磁界Ｂ０  の強度に関して与えられる。ここで、νを磁気回転比とし、これは特定のスピン系に対して一定である。
【００３８】
図３及び４に図示したシステムコンソールは、安定した固定周波数ＲＦ源を具え、その出力は、パルサの直流パルス出力によってゲートされた変調装置に供給される。ＲＦ源の動作の周波数は、プローブが配置された磁界の強度及び論理装置に用いられるスピン系の同一性によって決定される。磁界の強度を、図３及び４の極によって示す。変調装置／ドライバの出力を、その出力部に可変のコンピュータ制御された減衰器を有するパワーアンプに供給する。パルサを、簡単な標準的な有線装置とし、又は、後に論理形態で説明するような複雑な励起／検出パルスの自動化された実行を許容するコンピュータによって励起された複雑な標準的な装置とする。この増幅器からのＲＦパルス出力は、単一コイル又は交差コイル励起／検出プーロブヘッドに供給され、このプローブヘッドは、スピン系を収容するとともに磁界中に配置される。プローブヘッドからの信号出力は、位相検知広帯域レシーバに供給され、その復調された出力は、高速（約１０ＭＨｚ）のデジタイザ又は３００ＭＨｚ〜２ＧＨｚの範囲のサンプリング周波数を有する信号サンプラによってサンプルされ、最後にコンピュータ／周辺装置に記憶される。
【００３９】
以下の基本的なパルス回転形態は、熱平衡中にスピン系を用いて開始するデータ「書込み」中に用いられる。スピン系は、双安定系の特定の論理状態の確立に対応して、長手方向軸線のスピンを磁界に対して平行又は反平行に所定の角度回転する。
【００４０】
他の１８０°の回転は、他の論理状態の回転に対応する。これは、既に説明した共鳴手段によって達成される。
【００４１】
それに対して、データを「読み出す」ために、以下のパルス回転形態を用いる必要がある。
【００４２】
スピンは、交差面に「傾斜され」、自由誘導減衰（ＦＩＤ）の「開始」点は、１ｎｓ〜１００ｍｓの範囲の時間注にサンプルされ、パルス回転を反転することによって元の状態に再配向される。
【００４３】
結果的に得られるＦＩＤの「開始点」の「極性」は、関連の情報を有する。
【００４４】
既に説明したような「読出し」手順は、系の論理状態を変更しない「読出し」動作に対応するスピンの初期状態の回復で終了する。
【００４５】
プローブヘッドからの信号は、パルス検知レシーバ及び高速信号サンプラによって検出され及び復調される。これは、「データ」の読出し方法である。プローブヘッドは、ｘ，ｙ及びｚ方向と称される三つの相互に直交する方向の任意の組合せでサンプルに対して所望のパルス／一定の磁界勾配を加える磁界内に配置され、その結果、メモリアドレス指定が可能になる。パルス形成機能を有するＲＦパワーアンプを、アドレス指定のために任意に用いる。論理形態の実現を、スピンのパルス回転の所望のパターンを発生させるパルサ及び変調装置を用いた共鳴ＲＦの適切な変調手段によって達成する。
【００４６】
以下の例を、本発明によって与えるが、これらは本発明の範囲を制限するものではない。
【００４７】
例  １
導電性ポリマとして、ヘキサフルオリン酸フルオランテンの結晶を、スピン系として選択する。このポリマは、狭い（２０ＫＨｚ）ＥＳＲ線幅を有する耐久性のある常磁性の種類のものである。それは、長い電子スピン「緩和時間」である。このポリマサンプルを、プローブヘッドに取り出し、可変磁界電磁石の磁界に配置して電子スピン共鳴状態をセットアップする。磁石は、０．０１０７Ｔの公称磁界強度で作動し、これは、３００ＭＨｚの電子スピン共鳴周波数に対応する。電磁石の電源の電流安定性を約１ｐｐｍとし、それに対して１ｃｍ２  に亘る磁界の一様性を約１０〜２０ｐｐｍとする。スピン系の共鳴励起を、システムデカプラの低電力出力チャネルによる低電力励起を用いたブルカ（Ｂｒｕｋｅｒ）社のＭＳＬ３００  Ｐ  ＦＴ  ＮＭＲ分光計によって実行し、アッセンブラレベルプログラミングを用いて、あり得る最小パルス持続時間（約４００〜５００ｎｓ）を発生させる。パルス振幅はこの一定のパルス持続時間で変動されて、種々の所望の傾斜（「フリップ」）角にする。スピン共鳴は、１０ＭＨｚデジタイザを用いて捕獲される。以下の基本的なパルス回転形式は、データ「書込み」中に用いられ、熱平衡中にスピン系で開始する。
論理状態「０」に対応する３６０°パルス回転
論理状態「１」に対応する１８０°パルス回転
それに対して、データを読み出すために、以下のパルス回転形式を用いる。
0003540935.tif 000002
結果的に得られるＦＩＤの「開始点」の「極性」は、関連の情報、例えば、
論理状態「０」に対応する’＋ｖｅ’極性
論理状態「１」に対応する’−ｖｅ’極性
【００４８】
上記装置を用いることによって、１ビットの情報を記憶し、その後読み出すことができる。
【００４９】
例  ２
水、すなわち、狭い（３Ｈｚ）のＮＭＲ（核磁気共鳴）の線幅を有する反磁性の種類のものをスピン系として選択する。それも、長い核スピン「緩和時間」の特性を保持する。このサンプルをプローブヘッドに取り出し、７Ｔの強度の固定された磁界の超伝導電磁石の磁界に配置して、３００ＭＨｚの核磁気スピン共鳴をセットアップする。１ｃｍ３  の磁界の一様性を約０．０１ｐｐｍとする。スピン系の共鳴励起を、システムデカプラの低電力出力チャネルによる低電力励起を用いたブルカ社のＭＳＬ  ３００  Ｐ  ＦＴ  ＮＭＲ分光計によって実行し、アッセンブラレベルプログラミングを用いて、あり得る最小パルス持続時間（約１２８μｓ）を発生させる。パルス振幅はこの一定のパルス持続時間で変動されて、種々の所望の傾斜（「フリップ」）角にする。スピン共鳴は、１２５ＫＨｚデジタイザを用いて捕獲される。以下の基本的なパルス回転形式は、データ「書込み」中に用いられ、熱平衡中にスピン系で開始する。
論理状態「０」に対応する３６０°パルス回転
論理状態「１」に対応する１８０°パルス回転
それに対して、データを読み出すために、以下のパルス回転形式を用いる。
0003540935.tif 000003
結果的に得られるＦＩＤの「開始点」の「極性」は、関連の情報、例えば、
論理状態「０」に対応する’＋ｖｅ’極性
論理状態「１」に対応する’−ｖｅ’極性
【００５０】
上記装置を用いることによって、１ビットの情報を記憶し、その後読み出すことができる。
【００５１】
アドレス指定を、０．０００７Ｔｃｍ−１の振幅勾配の勾配増幅システムを用いたプローブヘッドで発生させたパルス磁界勾配を用いて行う。
【００５２】
例  ３
固体ポリメタクリル酸メチルの陽子（ＰＭＭＡ）をスピン系として選択する。ＰＭＭＡをプローブヘッドに取り出し、約２．７５Ｔのフリンジ磁界強度の固定された磁界の超伝導電磁石の磁界のフリンジに配置して、１１８ＭＨｚの核磁気スピン共鳴状態にセットアップする。磁界の一様性は約３０Ｔｍ−１に対応する。
【００５３】
システム系の共鳴励起を、システムの高電力の送信ユニットによる高電力励起を用いたブルカー社のＭＳＬ  ３００  Ｐ  ＦＴ  ＮＭＲ分光計コンソールで実行し、アッセンブラレベルプログラミングを用いて約４００〜５００ｎｓのあり得る最小パルス持続時間を発生させる。パルス振幅をこの一定のパルス持続時間で変動させて、種々の所望の傾斜（「フリップ」）角にする。スピン共鳴は、１２５ＫＨｚ／１０ＭＨｚデジタイザによって捕獲される。
【００５４】
以下の基本的なパルス回転形式は、データ「書込み」中に用いられ、熱平衡中にスピン系で開始する。
論理状態「０」に対応する３６０°パルス回転
論理状態「１」に対応する１８０°パルス回転
それに対して、データを読み出すために、以下のパルス回転形式を用いる。
0003540935.tif 000004
結果的に得られるＦＩＤの「開始点」の「極性」は、関連の情報、例えば、
論理状態「０」に対応する’＋ｖｅ’極性
論理状態「１」に対応する’−ｖｅ’極性
【００５５】
上記装置を用いることによって、１ビットの情報を記憶し、その後読み出すことができる。
【００５６】
本発明の向上した論理装置の主な利点は次の通りである。
１．装置は、スピン系のパルス回転によって規定されたデータを「書き込み」すなわち「記憶し」及び「読み出す」ことができる。
２．スピン記憶装置の順次記憶装置と異なり、メモリのアクセスが任意及び／又は並列モードで可能となる。
３．標準的な分子用システムに比べてより高い再使用可能性となる。
４．情報の記憶及び処理の統合が可能となる。
５．固有の並列処理が可能となる。
６．分子用コンピュータと異なり、半スピン系は完全な双安定システムとなる。
【図面の簡単な説明】
【図１】標準的な半導体に基づくコンピュータのブロック図である。
【図２】スピンエコー及び刺激されたエコーを発生させる標準的な磁気共鳴装置を示す図である。
【図３】アドレス指定機能のない本発明の装置の一実施の形態のブロック図である。
【図４】メモリアドレス指定機能のある本発明の向上した論理装置の他の実施の形態のブロック図である。
【符号の説明】
１  演算論理装置
２  中央処理装置
３  メモリ
４，１２，２１  ＲＦ源
５，１３，２２  変調装置／ドライバ
６，１９，２９  パルサ
７，１４，２３  パワーアンプ
８，１５，２４  プリアンプ／レシーバ
９  オシロスコープ
１０，１７，２６  磁石の極
１１  プローブ
１６，２５  アナログ−デジタルコンバータ
１８，２７  プローブヘッド
２０，３０  コンピュータ装置
２８  勾配コイル
【図１】
0003540935.tif 000005
【図２】
0003540935.tif 000006
【図３】
0003540935.tif 000007
【図４】
0003540935.tif 000008